(57)【要約】【課題】  電源ＳＷオフのために操作者を待たすことなく、操作者によるＨＤＤアクセス中の誤操作によりＨＤＤへ保存途中のデータが消失することのない画像形成装置を提供する。【解決手段】  記憶装置５を備えた画像形成装置において、ＤＣ電源回路４への電源供給ラインに対して電源ＳＷ１と並列にトライアック２、３を設け、その駆動制御は制御基板６のＣＰＵ７により行うようにした。【選択図】  図１
2006044228.tif 000002
【特許請求の範囲】
【請求項１】
記憶装置を備えた画像形成装置において、ＤＣ電源回路への電源供給ラインに挿入されている電源スイッチに対して並列に配置したトライアックと、該トライアックの駆動制御を行う制御手段と、を備えることを特徴とする画像形成装置。
【請求項２】
記憶装置を備えた画像形成装置において、ＤＣ電源回路への電源供給ラインに挿入されている電源スイッチに対して並列に配置したトライアックと、前記電源スイッチと前記ＤＣ電源回路との間に設けたゼロクロス検出回路と、該ゼロクロス検出回路からの信号をトリガとして、前記トライアックの駆動制御を行う制御手段と、を備えることを特徴とする画像形成装置。
【請求項３】
記憶装置を備えた画像形成装置において、ＤＣ電源回路への電源供給ラインに挿入されている電源スイッチに対して並列に配置したトライアックと、前記電源スイッチのオン／オフを検出するスイッチ状態検出回路と、該スイッチ状態検出回路からの信号をトリガとして、前記トライアックの駆動制御を行う制御手段と、を備えることを特徴とする画像形成装置。
【請求項４】
請求項１乃至請求項３の何れか一項に記載の画像形成装置において、外部からの操作キーの入力を制御するキー入力制御手段を備え、前記制御手段は、前記記憶装置へのデータアクセス時に、前記電源スイッチがオフになったと判別したときに、前記キー入力制御手段が操作キーの入力を受けないように制御することを特徴とする画像形成装置。
【請求項５】
請求項１乃至請求項４の何れか一項に記載の画像形成装置において、前記制御手段により前記記憶装置へのデータアクセス時に、前記電源スイッチがオフになったと判別した場合、データを前記記憶装置に保存中である旨を表示する表示手段を備えていることを特徴とする画像形成装置。
【請求項６】
請求項１乃至請求項４の何れか一項に記載の画像形成装置において、前記制御手段により前記記憶装置へのデータアクセス時に、前記電源スイッチがオフになったと判別した場合、データを前記記憶装置に保存中である旨をブザー音により報知する報知手段を備えていることを特徴とする画像形成装置。
【請求項７】
請求項１乃至請求項６の何れか一項に記載の画像形成装置において、前記制御手段は、前記記憶装置へのデータアクセス時に、前記電源スイッチがオフになったと判別した場合、前記データアクセス時のデータを保持して、次に電源スイッチがオンされた際に、出力要求動作なしに転写紙へ画像出力動作を行うように制御することを特徴とする画像形成装置。
【請求項８】
請求項１乃至請求項６の何れか一項に記載の画像形成装置において、前記制御手段は、前記記憶装置へのデータアクセス時に前記電源スイッチがオフになったと判別した場合、前記データアクセス時のデータを保持して、次に電源スイッチがオンされた際に、出力要求の有無を前記表示手段に表示する制御を行うことを特徴とする画像形成装置。
【発明の詳細な説明】
【技術分野】
【０００１】
本発明は、記憶装置（ハードディスク）を備えた画像形成装置（複写機、プリンタ、ＭＦＰ、ＦＡＸ等）に関する。
【背景技術】
【０００２】
現在、画像形成装置は、ハードディスク（ＨＤＤ）を備え、ＦＡＸ文書や各種情報等、膨大なデータを蓄積するメモリ機能を有するものが市販されている。このようなメモリ機能を有する画像形成装置において、ＨＤＤアクセス中に操作者の誤操作により電源スイッチ（電源ＳＷ）が切られると、ＨＤＤ保存中のデータがまだ書き込まれていないために消失してしまう不具合がある。このような不具合を解消するために、ＨＤＤへのアクセス時に電源ＳＷの操作をできなくする技術が提案されている。
【発明の開示】
【発明が解決しようとする課題】
【０００３】
上述したように、電源ＳＷへの操作をＨＤＤアクセス中にはできないようにした技術が既に提案されているが、ＨＤＤアクセス時間中、操作者に対して電源ＳＷの操作を待たすことになり、操作者へストレスを感じさせていた。
本発明は、電源ＳＷオフのために操作者を待たすことなく、操作者によるＨＤＤアクセス中の誤操作によりＨＤＤへ保存途中のデータが消失することのない画像形成装置を提供することを目的としている。
【課題を解決するための手段】
【０００４】
上記目的を達成するために、請求項１記載の発明は、記憶装置を備えた画像形成装置において、ＤＣ電源回路への電源供給ラインに挿入されている電源スイッチに対して並列に配置したトライアックと、該トライアックの駆動制御を行う制御手段と、を備えることを特徴とする。
請求項２記載の発明は、記憶装置を備えた画像形成装置において、ＤＣ電源回路への電源供給ラインに挿入されている電源スイッチに対して並列に配置したトライアックと、前記電源スイッチと前記ＤＣ電源回路との間に設けたゼロクロス検出回路と、該ゼロクロス検出回路からの信号をトリガとして、前記トライアックの駆動制御を行う制御手段と、を備えることを特徴とする。
請求項３記載の発明は、記憶装置を備えた画像形成装置において、ＤＣ電源回路への電源供給ラインに挿入されている電源スイッチに対して並列に配置したトライアックと、前記電源スイッチのオン／オフを検出するスイッチ状態検出回路と、該スイッチ状態検出回路からの信号をトリガとして、前記トライアックの駆動制御を行う制御手段と、を備えることを特徴とする。
請求項４記載の発明は、請求項１乃至請求項３の何れか一項に記載の画像形成装置において、外部からの操作キーの入力を制御するキー入力制御手段を備え、前記制御手段は、前記記憶装置へのデータアクセス時に、前記電源スイッチがオフであると判別したときに、前記キー入力制御手段が操作キーの入力を受けないように制御することを特徴とする。
請求項５記載の発明は、請求項１乃至請求項４の何れか一項に記載の画像形成装置において、前記制御手段により前記記憶装置へのデータアクセス時に、前記電源スイッチがオフになったと判別した場合、データを前記記憶装置に保存中である旨を表示する表示手段を備えていることを特徴とする。
請求項６記載の発明は、請求項１乃至請求項４の何れか一項に記載の画像形成装置において、前記制御手段により前記記憶装置へのデータアクセス時に、前記電源スイッチがオフになったと判別した場合、データを前記記憶装置に保存中である旨をブザー音により報知する報知手段を備えていることを特徴とする。
請求項７記載の発明は、請求項１乃至請求項６の何れか一項に記載の画像形成装置において、前記制御手段は、前記記憶装置へのデータアクセス時に前記電源スイッチがオフになったと判別した場合、前記データアクセス時のデータを保持して、次に電源スイッチがオンされた際に、出力要求動作なしに転写紙へ画像出力動作を行うように制御することを特徴とする。
請求項８記載の発明は、請求項１乃至請求項６の何れか一項に記載の画像形成装置において、前記制御手段は、前記記憶装置へのデータアクセス時に前記電源スイッチがオフになったと判別した場合、前記データアクセス時のデータを保持して、次に電源スイッチがオンされた際に、出力要求の有無を前記表示手段に表示する制御を行うことを特徴とする。
【発明の効果】
【０００５】
本発明によれば、記憶装置を備えた画像形成装置において、ＤＣ電源回路への電源供給ラインに対して電源スイッチと並列にトライアックを設け、その駆動制御は制御手段により行うことで、電源スイッチオフのために操作者を待たすことなく、操作者によるＨＤＤアクセス中の誤操作によりＨＤＤへ保存途中のデータを消失することがない。
また、ＤＣ電源回路への電源供給ラインに対して電源スイッチと並列に、トライアックと、電源スイッチとＤＣ電源回路との間にゼロクロス検出回路とを設け、その駆動制御はゼロクロス検出回路からの信号をトリガとし、制御手段により制御を行うことで、電源スイッチオフのために操作者を待たすことなく、操作者によるＨＤＤアクセス中の誤操作によりＨＤＤへ保存途中のデータを消失することがない。
さらに、ＤＣ電源回路への電源供給ラインに挿入されている電源スイッチに対して並列に配置したトライアックと、前記電源スイッチのオン／オフを検出するスイッチ状態検出回路と、該スイッチ状態検出回路からの信号をトリガとし、制御手段により制御を行うことで、電源スイッチオフのために操作者を待たすことなく、操作者によるＨＤＤアクセス中の誤操作によりＨＤＤへ保存途中のデータを消失することがない。
さらにまた、記憶装置へのデータアクセス時において、前記電源スイッチがオフになったと判別したときに、キー入力制御手段により操作キーの入力を受けないように制御することで、動作を安定させ電源オフに対してデータの消失防止の信頼性向上と、操作者の誤操作を防止することが可能になる。
さらにまた記憶装置へのデータアクセス時に電源スイッチがオフになったと判別した場合、データ保存中である旨を表示手段に表示することで操作者へ動作状況を知らせることができる。
さらにまた、記憶装置へのデータアクセス時に電源スイッチがオフになったと判別した場合、データ保存中である旨をブザー音により報知することで、操作者へ注意を促し、装置の状態を操作者に理解させることが可能になる。
さらにまた、記憶装置へのデータアクセス時に電源スイッチがオフになったと判別した場合、データアクセス時のデータを保持して、次に電源スイッチがオンされた時に出力要求動作なしに転写紙へ画像出力動作が行われるように制御することで、出力動作途中であった画像データの再出力要求を入力することなく出力することが可能になる。
さらにまた、記憶装置へのデータアクセス時に電源スイッチがオフになったと判別した場合、データアクセス時のデータを保持して、次に電源スイッチがオンされた時に出力要求の有無を表示手段に表示するように制御することで、不要な転写紙出力を削減することができる。
【発明を実施するための最良の形態】
【０００６】
以下、図面を参照して、本発明の各実施例を詳細に説明する。
〔第１の実施形態〕
図１は本発明の第１の実施形態に係る画像形成装置の構成図である。以下、その構成を動作と併せて説明する。電源スイッチ（電源ＳＷ）１と並列にトライアック（ＴＲＩ）２、３を設けており、電源ＳＷ１の他に破線で囲って示したＤＣ電源回路であるＰＳＵ（パワーサプライユニット）４へのＡＣ供給を可能とする。ＰＳＵ４は、例えばブリッジ整流回路１１、平滑コンデンサ１２、ＤＣ／ＤＣコンバータなどを備え、所定レベル（５Ｖ、１２Ｖ）の直流電圧を出力する。
電源ＳＷオン時はＰＳＵ４の出力はオフのため、トライアック２、３は動作せず、装置は電源ＳＷ１のみにより制御される。ＰＳＵ４が出力すると機械が立ちあがり、初期動作から装置が動作可能状態へと遷移する。
ここで、装置がＨＤＤ５への蓄積データを受信すると、制御基板６のＣＰＵ（制御手段）７からＨＤＤアクティブ信号がスイッチング素子に送られ、この信号によりトライアック２、３がオンする。
この状態において、電源ＳＷ１が操作者によりオフされた場合においても、ＰＳＵ４へのＡＣ供給がトライアック２、３により継続され、ＨＤＤ５へのデータアクセス中はＰＳＵ４の出力を保持することが可能になり、データ蓄積中にＨＤＤ５がオフすることはなく、データの消失を防ぐことができる。
ＨＤＤアクセス終了後に、ＨＤＤアクティブ信号をオフすることで、トライアック２、３はオフし、ＰＳＵ４へのＡＣ供給が途絶えることで装置をオフすることができる。
【０００７】
〔第２の実施形態〕
図２は本発明の第２の実施形態に係る画像形成装置の構成図である。
以下、その構成を動作と併せて説明する。電源ＳＷ１と並列にトライアック２、３を設けており、電源ＳＷ１の他に、上記同様、ＰＳＵ４へのＡＣ供給を可能とする。
また電源ＳＷ１通過後のラインからゼロクロス検出回路８を設けており、ゼロクロス信号はＣＰＵ７の割り込み端子または入力端子へ接続されており、電源ＳＷ１の状態をこの信号の有無で検出している。
この構成より電源ＳＷ１のオン／オフ状態の検出が可能となっている。電源ＳＷオン時は、ＰＳＵ４の出力はオフのため、トライアック２、３は動作せず、装置は電源ＳＷ１のみにより制御される。ＰＳＵ４が出力すると機械が立ち上がり、初期設定動作から装置待機状態へと遷移する。
ここで、装置がＨＤＤ５への蓄積データを受信すると、ＣＰＵ７はＨＤＤアクティブ状態を認識する。この状態において電源ＳＷ１が操作者によりオフされた場合、ゼロクロス信号がオフすることで、ＣＰＵ７は装置の電源ＳＷ１がオフされたことを認識する。
ＨＤＤ動作時の電源ＳＷオフをＣＰＵ７にて認識すると、ＨＤＤアクティブ信号をオンすることで、トライアック２、３をオンにしてＰＳＵ４へＡＣ電源が供給される。
ここで、ゼロクロス信号は、商用５０Ｈｚの地域では１０ｍｓ周期で出力されるため、検出に最大約１０ｍｓを必要とするが、通常のＰＳＵ４では、ＡＣ電源瞬断動作対応のため、約１０ｍｓは出力を保持可能である。
このため、ゼロクロス信号を検出した後に、ＨＤＤ動作を認識しトライアック駆動を行う場合でも、ＨＤＤ５への電源供給を確保することができ、ＨＤＤ５へのデータアクセス中はＰＳＵ４の出力を保持することが可能になり、データ蓄積中にＨＤＤ５がオフすることはなく、データの消失を防ぐことができる。
ＨＤＤアクセス終了後に、ＨＤＤアクティブ信号をオフすることで、トライアック２、３はオフし、ＰＳＵ４へのＡＣ供給が途絶えるので装置をオフすることができる。
【０００８】
〔第３の実施形態〕
図３は本発明の第３の実施形態に係る画像形成装置の構成図である。以下、その構成を動作と併せて説明する。電源ＳＷ１０と並列にトライアック２、３を設けており、電源ＳＷ１０の他にＰＳＵ４へのＡＣ供給を可能とする。
また電源ＳＷ１０は、１次２次を分離した３回路入りのものを使用し、そのＤＣ信号はＣＰＵ７の割り込み端子または入力端子へ接続されており、電源ＳＷ１０の状態をこの信号の有無で検出するスイッチ状態検出回路を構成している。
この構成より電源ＳＷ１０のオン／オフに同期して電源ＳＷ１０の状態検出が可能となっている。電源ＳＷ１０オン時は、ＰＳＵ４の出力はオフのため、トライアック２、３は動作せず、装置は電源ＳＷ１０のみにより制御される。ＰＳＵ４が出力すると機械が立ち上がり、初期設定動作から装置待機状態へと遷移する。
ここで、装置がＨＤＤ５への蓄積データを受信すると、ＣＰＵ（制御手段）７はＨＤＤアクティブ状態を認識する。この状態において電源ＳＷ１０が操作者によりオフされた場合、電源ＳＷ１０のＤＣ信号によりＣＰＵ７は装置の電源ＳＷ１０がオフされたことを認識する。
ＨＤＤ動作中の電源ＳＷ１０のオフをＣＰＵ７にて認識すると、ＨＤＤアクティブ信号をオンすることでトライアック２、３をオンにしてＰＳＵ４へＡＣ電源が供給される。
これにより、ＨＤＤ５への電源供給を確保することができ、ＨＤＤ５へのデータアクセス中はＰＳＵ４の出力を保持することが可能になり、データ蓄積中にＨＤＤ５がオフすることはなく、データの消失を防ぐことができる。
第２の実施形態のように構成した場合、ゼロクロス信号は商用５０Ｈｚの地域では１０ｍｓ周期で出力されるため、検出に最大約１０ｍｓを必要としていた。これに対して第３の実施形態のように構成した場合は、電源ＳＷ動作により検出時間を大幅に短縮可能のため、装置のリカバリ制御動作の信頼性を上げることができる。
ＨＤＤアクセス終了後に、ＨＤＤアクティブ信号をオフすることで、トライアック２、３はオフし、ＰＳＵ４へのＡＣ供給が途絶えるので装置をオフすることができる。
【０００９】
〔第４の実施形態〕
図４は本発明の第４の実施形態に係る画像形成装置の構成図である。なお、図３と同一部位には同一番号を付して詳細な説明は省略する。
この図４に示す画像形成装置においては、ＳＷ検出信号とＨＤＤアクティブ信号よりＨＤＤ５へのデータアクセス時に電源ＳＷ１０がオフになったと判別した場合、電源ＳＷ１０の状態に関わらず、ＰＳＵ４に電源が供給されており、スタンバイ動作状態の延長となっている。
そこで、本実施形態では、ＨＤＤ５へのデータアクセス時に電源ＳＷ１０がオフになったと判別した場合と、それ以外の電源ＳＷ１０のオン／オフ動作とを区別するために、ＨＤＤ５へのデータアクセス時に電源ＳＷ１０がオフになった場合は操作者からの入力を受け付けないようした。つまり、操作キーの入力を制御するキー入力制御手段であるＬＣＤＣ（操作パネルコントローラ）２０のＣＰＵ２１への入力をマスクして入力を無効化することで誤動作を防止し、装置の動作を安定させるようにしている。これにより、データ消失防止の信頼性向上と操作者の誤操作を防止することが出来る。
また、第４の実施形態においてはＨＤＤ５へのデータアクセス時に電源ＳＷ１０がオフになった場合、その情報を操作パネルコントローラ（ＬＣＤＣ）２０のＣＰＵ２１へ送り、ＣＰＵ２１によりデータ保存中である旨を表手段である液晶表示部（ＬＣＤ）２２に表示することで、操作者へ動作状況を知らせることができる。
さらに、ＨＤＤ５へのデータアクセス時における電源ＳＷ１０のオフをＣＰＵ７へのＳＷ検出信号により検出し、その出力ポートを制御することにより、データ保存中である場合は、アンプ３１を介してブザー（報知手段）３２からブザー音を出力することにより、操作者へ注意を促し、装置の動作状況を操作者に知らせることができる。
【００１０】
またＨＤＤアクティブ信号より、ＨＤＤ５へのデータアクセス時に電源ＳＷ１０がオフになったと判別した場合には、そのデータを制御基板６のＣＰＵ７の内部メモリにも記憶するようにしておく。そして次の電源投入時にＣＰＵ７の内部メモリに記憶したデータを出力要求動作なしに転写紙へ画像出力動作を行う機能を持たせるようにする。このようすれば、出力動作途中であった画像データの再出力要求を入力することなく、画像データを出力することが可能になる。
或いはＨＤＤアクティブ信号よりＨＤＤ５へのデータアクセス時に電源ＳＷ１０がオフになったと判別した場合には、そのデータをＣＰＵ７の内部メモリに記憶するようにしておく。そして次の電源投入時にＣＰＵ７の内部メモリに記憶したデータの出力要求の有無を、要求動作無しにＬＣＤ２２に表示し、不要な転写紙出力を削減することができる。
なお、第４の実施形態では、１次２次を分離した３回路入りの電源ＳＷ１０を用いた画像形成装置にＬＣＤＣ２０やアンプ３１、ブザー３２を設ける場合を例に挙げて説明したが、これはあくまでも一例であり、図１、図２に示したような構成の画像形成装置に対して同様の構成を設けることも可能である。
【図面の簡単な説明】
【００１１】
【図１】本発明の第１の実施形態に係る画像形成装置の構成図である。
【図２】本発明の第２の実施形態に係る画像形成装置の構成図である。
【図３】本発明の第３の実施形態に係る画像形成装置の構成図である。
【図４】本発明の第４の実施形態に係る画像形成装置の構成図である。
【符号の説明】
【００１２】
１、１０…電源ＳＷ、２、３…トライアック、４…ＰＳＵ(ＤＣ電源回路)、５…ＨＤＤ(記憶装置)、６…制御基板、７…ＣＰＵ（制御手段）、２０…ＬＤＣＣ（操作パネルコントローラ）、２１…ＣＰＵ（キー入力制御手段）、２２…ＬＣＤ（表示手段）、３１…アンプ、３２…ブザー（報知手段）
【図１】
2006044228.tif 000003
【図２】
2006044228.tif 000004
【図３】
2006044228.tif 000005
【図４】
2006044228.tif 000006